(57)【要約】      （修正有）【課題】クライアントをダウンロードする必要がなく、各種型番のモバイル電子機器に対して汎用性を有する防水ケースを提供する。【解決手段】モバイル電子機器用の防水ケースであり、モバイル電子機器に操作制御を行うためのコントローラ３０と、モバイル電子機器に接続されかつコントローラ３０とデータを伝送可能なコネクタ３１と、使用者がコントローラ３０に指令を入力してモバイル電子機器に操作制御を行うための入力装置３２とを含み、入力装置３２は、操作部、及び操作部の変位を読み取ることで操作画面での操作を制御できる第１光感知ユニットを備える。コネクタ３１をモバイル電子機器のインターフェースに直接挿入し、且つ汎用の標準コードを用いて信号伝送を行うことができる。【選択図】図３
0003228394.tif 000002
【実用新案登録請求の範囲】
【請求項１】
操作画面を有するとともにカメラを有するモバイル電子機器を収納するためのモバイル電子機器用の防水ケースであって、
互いに結合されかつ取り外し可能に接続された第１ケース及び第２ケースを含み、前記第１ケースと前記第２ケースが、結合状態でモバイル電子機器を収納し且つ外部と隔離している収容室を共同で形成するハウジングであって、透明材料で製造され且つ使用者が前記操作画面を観察するための第１視認窓、及び透明材料で製造され且つ前記カメラが画像を取得するように光を透過させる第２視認窓を含むハウジングと、
外部と隔離しており、前記モバイル電子機器に操作制御を行うためのコントローラと、前記モバイル電子機器に接続され且つ前記モバイル電子機器が前記コントローラとデータを伝送することに用いられるコネクタと、使用者が前記コントローラに指令を入力するための入力装置とを含み、前記コントローラが前記入力装置から入力された指令に応じて前記モバイル電子機器に操作制御を行う制御ユニットとを、備えることを特徴とする防水ケース。
【請求項２】
前記コネクタは、電気導線を介して前記コントローラに電気的に接続されることを特徴とする請求項１に記載のモバイル電子機器用の防水ケース。
【請求項３】
前記コネクタは、前記コントローラに無線で接続されることを特徴とする請求項１に記載のモバイル電子機器用の防水ケース。
【請求項４】
前記入力装置は、少なくとも１つのキーを含み、各前記キーがすべて前記ハウジングに弾性的に接続され、前記コントローラは、少なくとも１つの押圧式スイッチを含み、各前記押圧式スイッチがそれぞれ１つの前記キーに対応して設置されることを特徴とする請求項１に記載のモバイル電子機器用の防水ケース。
【請求項５】
前記入力装置は、前記ハウジングに接続された操作部と、前記コントローラに電気的に接続され且つ前記操作部の単位時間における動きの方向及び距離を読み取ることで前記操縦画面での操作を制御できる第１光感知ユニットと、をさらに含むことを特徴とする請求項４に記載のモバイル電子機器用の防水ケース。
【請求項６】
前記入力装置は、前記ハウジングに接続され且つ光透過材質で製造されたタッチ用の操作パネルと、前記操作パネルの下方に位置し且つ前記操作パネルでの単位時間におけるタッチ経路の方向及び距離を感知することで前記操作画面での操作を制御できる第２光感知ユニットと、をさらに含むことを特徴とする請求項４に記載のモバイル電子機器用の防水ケース。
【請求項７】
前記操作部は、トラックボール構造であり、前記トラックボール構造は、前記ハウジングに接続され且つ位置決め溝を有し光を透過可能なボールブラケット、及び前記位置決め溝において回動可能に位置するトラックボールを含み、前記位置決め溝が外向きに開口することを特徴とする請求項６に記載のモバイル電子機器用の防水ケース。
【請求項８】
前記モバイル電子機器を充電するための充電装置をさらに備えることを特徴とする請求項１〜７のいずれか１項に記載のモバイル電子機器用の防水ケース。
【請求項９】
前記充電装置は、前記コントローラに電気的に接続されることを特徴とする請求項８に記載のモバイル電子機器用の防水ケース。
【請求項１０】
前記充電装置は、電磁誘導によって前記モバイル電子機器を充電できるワイヤレス充電回路を含むことを特徴とする請求項８に記載のモバイル電子機器用の防水ケース。
【考案の詳細な説明】
【技術分野】
【０００１】
本考案は、電子付属品の技術分野に属し、特にモバイル電子機器用の防水ケースに関する。本考案は、電子アクセサリー技術分野に属し、特にモバイル電子機器に適した防水ケースに関する。
【背景技術】
【０００２】
人々の生活水準の向上に伴い、ダイビングは、一般的な健康向上及びレジャーのためのスポーツになっており、ダイビングでは、水中に写真を取ることがよくあるが、プロのダイビングカメラ機器は、高価であるだけでなく、かさばって携帯性が悪く、とても使用しにくい。現在、その事情に対して、携帯電話など、操縦画面を有するとともにカメラを有するモバイル電子機器を収納できる防水ケースが市販されており、その中でも、防水ケースに取り付けてモバイル電子機器に触れることができるキーを利用して写真を撮るものがあり、しかしながら、このような防水ケースは、仕様とキーの位置が特定の携帯電話しか制御できず、キーでは水の侵入が発生しやすく、また、ブルートゥースによって携帯電話を無線で制御して写真を取るものもあるが、携帯電話にブルートゥースカメラクライアントをダウンロードする必要があるため、メモリのスペースを占める上、ステップが面倒であり、非常に不便である。人々の生活水準の向上に伴い、ダイビングは一般的な健康レジャースポーツとなり、ダイビングは水中撮影を行う必要が多く、プロのダイビング撮影機器は高価であるだけでなく、かさばるだけでなく、非常に不便です。今、市場では、操作画面と携帯電話などのカメラを備えたモバイル電子機器をロードすることができる防水ケースを生み出しています，例えば、携帯電話など、これらの防水ケースは、モバイル電子機器のボタンに触れることができる防水ケースに取り付けることによって撮影することができますが、この防水ケースは、特定の仕様と特定のボタン位置がある携帯電話に制御しかない。且つ、ボタンの箇所に水漏れが発生しやすいです。ワイヤレスにて携帯電話を制御し写真を撮りますが、撮影のクライアントををダウンロードする必要があり、メモリの占有及びステップ手順が面倒であり、非常に不便です。
【考案の概要】
【考案が解決しようとする課題】
【０００３】
本考案の目的は、写真を撮られるモバイル電子機器用の従来の防水ケースでは、適用できるモバイル電子機器の様式が限られたり、クライアントのダウンロードが必要であったりするため非常に不便であるという技術的課題を解決するための、モバイル電子機器用の防水ケースを提供することである。
【課題を解決するための手段】
【０００４】
本考案は、以下のように達成させる。操作画面を有するとともにカメラを有するモバイル電子機器を収納するためのモバイル電子機器用の防水ケースであって、
互いに結合され、かつ取り外し可能に接続された第１ケース及び第２ケースを含み、前記第１ケースと第２ケースが、結合された状態でモバイル電子機器を収納し、外部と隔離している収容室を共同で形成するハウジングである。透明材料で製造され且つ使用者が操作画面を観察するための第１視認窓、及び透明材料で製造され且つ前記カメラが画像を取得するように光を透過させる第２視認窓を含むハウジングとが外部と隔離しており、前記モバイル電子機器に操作制御を行うためのコントローラと、前記モバイル電子機器と前記コントローラを電気的に接続するためのコネクタと、使用者が前記コントローラに指令を入力するための入力装置とを含み、前記コントローラが前記入力装置から入力された指令に応じて前記モバイル電子機器に操作制御を行う制御ユニットを備える。
【０００５】
具体的には、前記コネクタは、電気導線を介して前記コントローラに電気的に接続される。
【０００６】
具体的には、前記コネクタは、前記コントローラに無線で接続される。
【０００７】
具体的には、前記入力装置は、少なくとも１つのキーを含み、各前記キーがすべて前記ハウジングに弾性的に接続され、前記コントローラは、少なくとも１つの押さえ式スイッチを含み、各前記押さえ式スイッチがそれぞれ１つの前記キーに対応して設置される。
【０００８】
具体的には、前記入力装置は、前記ハウジングに接続された操作部と、前記コントローラに電気的に接続され且つ前記操作部の単位時間における動きの方向及び距離を読み取ることで前記操作画面での操作を制御できる第１光感知ユニットと、をさらに含む。
【０００９】
具体的には、前記入力装置は、前記ハウジングに接続され且つ光透過材質で製造されたタッチ用の操作パネルと、前記操作パネルの下方に位置し且つ前記操作パネルでの単位時間におけるタッチ経路の方向及び距離を感知することで前記操作画面での操作を制御できる第２光感知ユニットと、をさらに含む。
【００１０】
具体的には、前記操作部は、トラックボール構造であり、前記トラックボール構造は、前記ハウジングに接続され且つ位置決め溝を有し光を透過可能なボールブラケット、及び前記位置決め溝において回動可能に位置するトラックボールを含み、前記位置決め溝が外向きに開口する。
【００１１】
具体的には、前記モバイル電子機器用の防水ケースは、前記モバイル電子機器を充電するための充電装置をさらに備える。
【００１２】
具体的には、前記充電装置は、前記コントローラに電気的に接続される。
【００１３】
具体的には、前記充電装置は、電磁誘導によって前記モバイル電子機器を充電できるワイヤレス充電回路を含む。
【考案の効果】
【００１４】
従来技術に比べて、本考案の技術的効果は、以下のとおりである。本考案は、前記モバイル電子機器に電気的に接続可能な前記コネクタを設置することによって、前記コントローラと前記モバイル電子機器との間のデータ伝送を実現し、一方、前記入力装置によって前記コントローラに指令を入力することで、前記モバイル電子機器に操作制御を行うものであり、前記コネクタを前記モバイル電子機器に直接電気的に接続すると、前記コネクタを前記モバイル電子機器のインターフェースに直接挿入できるため、通信分野における汎用の標準コードを使用して信号伝送を行うことができ、信号マッチングのために特定のクライアントをダウンロードする必要がなくなり、各種型番のモバイル電子機器に対して汎用性を有する。本考案では、また、キーを前記モバイル電子機器のディスプレイ又は前記モバイル電子機器のキーに直接接触させることによる操作の不便さを回避し、キーでは水の侵入がよく発生するという問題を解決し、前記制御ユニットは、直接前記コネクタを介して各種様式や型番の前記モバイル電子機器に対する操作及び制御を行う。前記収容室及び前記制御ユニットが外部と隔離しているため、本考案は、防水機能を具備する。
【図面の簡単な説明】
【００１５】
本考案の実施例の技術案をより明瞭に説明するために、以下、本考案の実施例又は従来技術の説明に必要な図面について簡単に説明するが、明らかなように、以下説明する図面は、本考案の実施例の一部に過ぎず、当業者であれば、創造的な努力を必要とせずに、これら図面に基づいて、他の図面を取得することができます。
【図１】本考案の実施例によるモバイル電子機器用の防水ケースの立体構造概略図である。
【図２】図１の別の視角からの立体概略図である。
【図３】本考案における一実施例によるモバイル電子機器用の防水ケースの部分分解図であり、前記コネクタは、前記電気導線を介して前記コントローラに電気的に接続される。
【図４】図３のさらなる分解図である。
【図５】本考案における別の実施例によるモバイル電子機器用の防水ケースの部分分解図であり、前記コネクタは、前記コントローラに無線で接続される。
【図６】本考案におけるさらなる実施例によるモバイル電子機器用の防水ケースの構造概略図であり、前記入力装置は、操作部と、第１光感知ユニットとを含む。
【図７】図６の部分分解図である。
【図８】図７の断面図である。
【考案を実施するための形態】
【００１６】
以下、本考案の実施例を詳細に説明し、前記実施例の例を図面に示し、図面を通じて同じ又は類似した符号は、同じ又は類似した素子又は同じ又は類似した機能を有する素子を示す。以下、図面を参照して説明する実施例は、例示的なものであり、本考案を解釈するために過ぎず、本考案を制限するものとして理解できない。
【００１７】
本考案の説明において、なお、用語「頂」、「底」「内」、「外」などにより示される方位又は位置関係は、図面に示した方位又は位置関係に基づくものであり、本考案を簡便に説明し且つ説明を簡素化させるために過ぎず、示される装置又は素子が必ずしも特定の方位を有したり、特定の方位で構造及び操作されたりすることを指示又は示唆するものではなく、このため、本考案を制限するものとして理解できない。
【００１８】
また、用語「第１」、「第２」、「第３」、「第４」は、説明のために過ぎず、相対重要性を指示又は示唆するか、又は示される技術的特徴の数を暗黙的に示すものであると理解できない。それによって、「第１」、「第２」、「第３」、「第４」により限定される特徴は、１つ又は複数のこの特徴を明確又は暗黙的に含み得る。本考案の説明では、別途特定の限定がない限り、「複数」は、２つ以上を意味する。
【００１９】
本考案では、別に明確な規定や限定がない限り、用語「取り付け」、「連結」、「接続」、「固定」などの用語は、広義で理解すべきであり、たとえば、固定して接続されてもよく、取り外し可能に接続されてもよく、一体にしてもよいし、機械的に接続されてもよく、電気的に接続されてもよいし、直接連結してもよく、中間媒体を介して間接的に連結してもよく、２つの素子の内部が連通してもよく、又は２つの素子の相互作用関係であってもよい。当業者であれば、具体的な状況に応じて上記用語の本考案における具体的な定義を理解できる。
【００２０】
本考案の目的、技術案及び利点をより明瞭にするために、以下、図面及び実施例を参照しながら、本考案についてさらに詳細に説明する。
【００２１】
図１〜図５に示すように、本考案の実施例は、操作画面を有するとともにカメラを有するモバイル電子機器２０を収納するためのモバイル電子機器２０に適用する防水ケースを提供し、
互いに結合されかつ取り外し可能に接続された第１ケース１１及び第２ケース１２を含み、前記第１ケース１１と前記第２ケース１２が、結合状態でモバイル電子機器２０を収納し且つ外部と隔離している収容室を共同で形成するハウジング１０であって、透明材料で製造され且つ使用者が前記操作画面を観察するための第１視認窓１１０、及び透明材料で製造され且つ前記カメラが画像を取得するように光を透過させる第２視認窓１２０を含むハウジング１０と、
外部と隔離しており、前記モバイル電子機器２０に操作制御を行うためのコントローラ３０と、前記モバイル電子機器２０と前記コントローラ３０を電気的に接続するためのコネクタ３１と、使用者が前記コントローラ３０に指令を入力するための入力装置３２とを含み、前記コントローラ３０が前記入力装置３２から入力された指令に応じて前記モバイル電子機器２０に操作制御を行う制御ユニットと、を備える。
【００２２】
本考案は、前記モバイル電子機器２０に電気的に接続可能な前記コネクタ３１を設置することによって、前記コントローラ３０と前記モバイル電子機器２０との間のデータ伝送を実現し、一方、前記入力装置３２によって前記コントローラ３０に指令を入力することで、前記モバイル電子機器２０に操作制御を行うものであり、前記コネクタを前記モバイル電子機器に直接電気的に接続すると、前記コネクタを前記モバイル電子機器のインターフェースに直接挿入できるため、通信分野における汎用の標準コードを使用して信号伝送を行うことができ、信号マッチングのために特定のクライアントをダウンロードする必要がなくなり、各種型番のモバイル電子機器に対して汎用性を有する。本考案では、また、キーを前記モバイル電子機器２０のディスプレイ又は前記モバイル電子機器２０のキーに直接接触させることによる操作の不便さを回避し、キーでは水の侵入がよく発生するという問題を解決し、クライアントをダウンロードする必要がなく、前記制御ユニットは、直接前記コネクタ３１を介して各種様式や型番の前記モバイル電子機器２０に対する操作及び制御を行う。前記収容室及び前記制御ユニットがすべて外部と隔離しているため、本考案は、防水機能を具備する。
【００２３】
前記モバイル電子機器２０は、携帯電話、タブレットや仮想パネルを有するほかの電子機器であってもよい。
【００２４】
前記コネクタ３１は、前記モバイル電子機器２０と前記コントローラ３０との間のデータ転送に用いられ、前記コネクタ３１は、インテリジェント端末の機能を増加させるためにインテリジェント端末のＵＳＢインターフェース付属品を拡張させることもできる。本実施例では、前記モバイル電子機器２０は、Ｌｉｎｕｘのフリーオープンソースに基づく操作システム、たとえば、市販されている一般的なアンドロイドシステムを有し、前記コネクタ３１は、ＯＴＧ（Ｏｎ  Ｔｈｅ  Ｇｏ）データケーブルである。
【００２５】
図３及び図４に示すように、本考案による一実施例では、前記コネクタ３１は、電気導線３１１を介して前記コントローラ３０に電気的に接続されるようにしてもよい。つまり、前記コネクタ３１は、電気導線３１１を介して前記コントローラ３０からエクスポートしたデータを前記モバイル電子機器２０に伝送する。前記コネクタ３１は、前記コントローラ３０に取り外し可能に接続されてもよく、異なるタイプのインターフェースを有するモバイル電子機器２０は、前記インターフェースにマッチングするプラグを有するコネクタ３１を交換できる。
【００２６】
図５に示すように、本考案による別の実施例では、前記コネクタ３１は、前記コントローラ３０に無線で接続されるようにしてもよい。つまり、前記コネクタ３１は、無線送信方式で前記コントローラ３０からエクスポートしたデータを前記モバイル電子機器２０に伝送する。前記コネクタ３１が前記コントローラ３０に無線で接続される方式は、前記ハウジングにおける利用可能なスペースを節約し、電気的接続状態で電気導線３１１の破損により接触不良が生じることを防止する。ここで、前記無線送信は、ＲＦラジオ波などの方式により行われる。
【００２７】
図３〜図５に示すように、前記入力装置３２は、少なくとも１つのキー３２１を含み、各前記キー３２１がすべて前記ハウジング１０に弾性的に接続され、前記コントローラ３０は、少なくとも１つの押圧式スイッチを含み、各前記押圧式スイッチがそれぞれ１つの前記キー３２１に対応して設置されるようにしてもよい。前記弾性的に接続されるとは、前記キー３２１が外力を受けると前記収容室に向かって移動し、外力を解除されると前記キー３２１が自発的に復位できることを意味する。前記キー３２１は、外力を受けると、前記収容室に向かって移動し、最終的にそれに対応する前記押圧式スイッチに当接し、即ち、前記キー３２１は、前記押圧式スイッチと接触することで電気信号を伝送し、前記コントローラ３０は、前記キー３２１が伝送した指令に応じて前記モバイル電子機器２０に制御操作を行う。
【００２８】
図３〜図５に示すように、好ましくは、前記キー３２１は、使用者が容易に押圧操作を実施できるように、前記第１ケース１１に弾性的に接続される。
【００２９】
本考案による一実施例では、前記入力装置３２は、前記キー３２１を押圧することにより指令を入力し、それによって、前記コントローラ３０が前記操作画面を操作することにより前記オプションの切り替え、前記オプションの確認又は現在の操作インターフェースからのログアウトを行う。
【００３０】
具体的には、前記入力装置３２は、前記操作画面の仮想パネルにおけるオプションを切り替えるための第１方向キー、前記第１方向キーが選択したオプションを選定するための第１ＯＫキー、及び現在の操作インターフェースからログアウトするための第１リターンキーを含んでもよい。
【００３１】
本考案による別の実施例では、上記実施例との相違点が以下のとおりである。前記コントローラ３０は、前記操作画面にカーソルを表示させることができ、前記入力装置３２は、前記カーソルの変位方向を制御し且つ一回の押圧により単位長さだけ移動できる第２方向キーを含み、前記コントローラ３０は、前記第２方向キーを押圧して出力する指令を受信することにより前記カーソルの変位を制御する。前記キー３２１は、前記カーソルが指定したオプションを選定するための第２ＯＫキー、及び現在の操作インターフェースからログアウトするための第２リターンキーをさらに含む。
【００３２】
本考案によるさらなる実施例では、上記実施例との相違点が以下のとおりである。前記入力装置３２は、前記ハウジング１０に接続された操作部３２２と、前記コントローラ３１に電気的に接続され且つ前記操作部３２２の単位時間における動きの方向及び距離を読み取ることで前記操作画面での操作を制御できる第１光感知ユニット３２３とを含み、前記コントローラ３０は、前記操作画面にカーソルを表示させることができ、前記コントローラ３０は、前記第１光感知ユニット３２３の位置信号を受信することにより前記操作画面におけるカーソルの単位時間における動きの方向及び距離を同期して制御し、且つ前記カーソルを目標位置に移動させる。前記入力装置３２は、前記カーソルの目標位置が指定したオプションを選定するための第３ＯＫキー、及び現在の操作インターフェースからログインするための第３リターンキーをさらに含む。本実施例では、第１光感知ユニット３２３を設置して光感知方式で変位信号を読み取ることによって、前記カーソルの移動を制御し、前記操作部３２２と前記第１光感知ユニット３２３が直接接触しないため、前記入力装置３２を密閉して操作することを実現し、外部と効果的に隔離し、キー式構造により引き起こされ得る水の侵入を防止する。
【００３３】
好ましくは、前記操作部は、トラックボール構造である。前記トラックボール構造は、前記ハウジング２０に接続され且つ位置決め溝３２２０を有するボールブラケット３２２１、及び前記位置決め溝において回動可能に位置するトラックボール３２２２を含み、前記位置決め溝３２２０が外向きに開口し、前記ボールブラケット３２２１は、前記トラックボール３２２２と前記第１光感知ユニット３２３を隔離し、前記第１光感知ユニット３２３は、前記トラックボール３２２２の回動による局所の画像の変位を感知して、Ｘ軸、Ｙ軸の変位データを算出することができ、それにより前記コントローラ３０は、前記操作画面における前記カーソルの変位を同期して制御する。前記ボールブラケット３２２１は、前記ハウジング１０とともに密封構造を形成し、使用者は、外部に隔離した前記トラックボール３２２２を旋回することで、目標位置に移動するように前記カーソルを制御することができ、水が浸入しやすいという従来のキー式構造の技術的課題を解決し、より簡便で正確に操作でき、且つ前記トラックボール構造は、前記コントローラで前記モバイル電子機器２０を制御し、前記モバイル電子機器の操作画面と直接接触することがないため、キーによる画面タッチ操作の不便さを回避し、前記モバイル電子機器のキー又は操作画面における目標位置にマッチしなくてもよく、このため、各種型番やタイプのモバイル電子機器２０の操作に適用でき、汎用性を有する。
【００３４】
前記ボールブラケット３２２１は、光を透過可能な光透過部を有し、前記第１光感知ユニット３２３は、第１発光源３２３１及び第１受信機３２３２を含み、前記第１発光源３２３１から発光する光が、前記光透過部を介して前記トラックボール３２２２の表面にガイドされ、前記トラックボール３２２２により反射されて、再び前記光透過部を通って前記第１受信機３２３２に到達し、前記光透過部は、前記光線の発光及び反射の経路にある。
【００３５】
本考案によるさらなる実施例では、上記実施例との相違点が以下のとおである。前記入力装置３２は、前記ハウジングに接続され且つ光透過材質で製造されたタッチ用の操作パネルと、前記操作パネルの下方に位置し且つ前記操作パネルでの単位時間におけるタッチ経路の方向及び距離を感知することで前記操作画面での操作を制御できる第２光感知ユニット３２３とを含む。前記操作パネルは、前記ハウジング１０とともに密封構造を形成し、使用者が前記操作パネルにおいて指を移動させ、前記第２光感知ユニットにより前記指の変位が感知されることにより、Ｘ軸、Ｙ軸の変位データが計算され、且つ前記コントローラ３０は、前記操作画面における前記カーソルの変位を同期して制御し、前記第２光感知ユニットは、第２発光源及び第２受信機を含み、前記第２発光源から発光する光が前記操作パネルを介して前記操作パネルの表面にガイドされ、且つ指で反射されて、再び前記操作パネルを通って前記第２受信機に到達する。前記入力装置３２は、前記カーソルが指定したオプションを選定する第４ＯＫキー、及び現在の操作インターフェースからログアウトする第４リターンキーをさらに含む。本実施例の効果が前記実施例とほぼ同じであるため、ここで詳しく説明しない。
【００３６】
なお、前記入力装置３２の前記コントローラ３０への信号伝送方式は、以上説明したものに制限されず、それに対応して、前記入力装置３２の入力方式も、押圧キー３２１及び光感知方式に制限されず、オプションの切り替え及びオプションの選定の機能を実現できるほかの方式であってもよい。
【００３７】
図４及び図５に示すように、具体的には、前記モバイル電子機器２０に適用する防水ケースは、前記モバイル電子機器２０の残量不足により画像を取得できないことがないように、前記モバイル電子機器２０を充電するための充電装置５０をさらに備える。
【００３８】
図３に示すように、具体的には、前記充電装置５０は、前記コントローラ３０に電気的に接続され、前記コントローラ３０は、前記モバイル電子機器２０に電気的に接続されるので、前記充電装置５０は、前記モバイル電子機器２０が画像を取得するとともに前記モバイル電子機器２０を充電する機能を実現する。
【００３９】
ほかの実施例では、前記充電装置５０は、前記コントローラ３０に取り外し可能に接続された前記コネクタ３１を介して前記モバイル電子機器２０に電気的に接続でき、即ち、前記充電装置５０と前記コントローラ３０は、前記コネクタ３１を共用する。前記充電装置５０に接続された前記コネクタ３１は、外部電源に接続されて前記充電装置５０を充電する機能も有する。
【００４０】
具体的には、前記充電装置５０は、電磁誘導によって前記モバイル電子機器２０を充電できるワイヤレス充電回路を含み、前記ワイヤレス充電回路は、電磁誘導送信端として前記モバイル電子機器２０を充電できる。
【００４１】
図１及び図２に示すように、具体的には、前記第１ケース１１と前記第２ケース１２は、ヒンジ連結構造４０を介してヒンジ連結され、前記第１視認窓１１０は、前記第１ケース１１に設けられ、前記第２視認窓１２０は、前記第２ケース１２に設けられる。使用するときに、前記第１ケース１１を開いて、前記モバイル電子機器２０を前記収容室に収容し、使用者が前記第１視認窓１１０を介して前記仮想パネルでの操作過程を観察できるように、前記モバイル電子機器２０の仮想パネルは、前記第１視認窓１１０に向かっている。具体的には、前記モバイル電子機器２０に適用する防水ケースは、結合状態で前記第１ケース１１と前記第２ケース１２との自由端を固定するためのバックル構造１２１をさらに備える。
【００４２】
以上は、本考案の好適実施例に過ぎず、本考案を制限するものではなく、本考案の精神及び主旨から逸脱せずに行われる修正、等同置換及び改良などは、すべて本考案の特許範囲に含まれる。上記は、本考案のより良い実施形態のみであり、本考案を限定するものではないが、本考案の精神および原則の範囲内で行われる変更、同等の置換および改善も、本考案の特許範囲内に含まれるものとする。
【符号の説明】
【００４３】
１０  ハウジング、
１０１  第１キャビティ、
１０２  第２キャビティ、
１１  第１ケース、
１１０  第１視認窓、
１２  第２ケース、
１２０  第２視認窓、
４０  ヒンジ連結構造、
５０  充電装置、
１２１  バックル構造、
１２２  ゴム支持部（押さえ）、
２０  モバイル電子機器、
３０  コントローラ、
３１  コネクタ、
３１１  電気導線、
３２  入力装置、
３２１  キー、
３２２  操作部、
３２２０  位置決め溝、
３２２１  ボールブラケット、
３２２２  トラックボール、
３２３  第１光感知ユニット、
３２３１  第１発光源、
３２３２  第１受信機。
【図１】
0003228394.tif 000003
【図２】
0003228394.tif 000004
【図３】
0003228394.tif 000005
【図４】
0003228394.tif 000006
【図５】
0003228394.tif 000007
【図６】
0003228394.tif 000008
【図７】
0003228394.tif 000009
【図８】
0003228394.tif 000010
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
操作画面を有するとともにカメラを有するモバイル電子機器を収納するためのモバイル電子機器用の防水ケースであって、
互いに結合されかつ取り外し可能に接続された第１ケース及び第２ケースを含み、前記第１ケースと前記第２ケースが、結合状態でモバイル電子機器を収納し且つ外部と隔離している収容室を共同で形成するハウジングであって、透明材料で製造され且つ使用者が前記操作画面を観察するための第１視認窓、及び透明材料で製造され且つ前記カメラが画像を取得するように光を透過させる第２視認窓を含むハウジングと、
外部と隔離しており、前記モバイル電子機器に操作制御を行うためのコントローラと、前記モバイル電子機器に接続され且つ前記モバイル電子機器が前記コントローラとデータを伝送することに用いられるコネクタと、使用者が前記コントローラに指令を入力するための入力装置とを含み、前記コントローラが前記入力装置から入力された指令に応じて前記モバイル電子機器に操作制御を行う制御ユニットとを、備えることを特徴とする防水ケース。
【請求項２】
前記コネクタは、電気導線を介して前記コントローラに電気的に接続されることを特徴とする請求項１に記載のモバイル電子機器用の防水ケース。
【請求項３】
前記コネクタは、前記コントローラに無線で接続されることを特徴とする請求項１に記載のモバイル電子機器用の防水ケース。
【請求項４】
前記入力装置は、少なくとも１つのキーを含み、各前記キーがすべて前記ハウジングに弾性的に接続され、前記コントローラは、少なくとも１つの押圧式スイッチを含み、各前記押圧式スイッチがそれぞれ１つの前記キーに対応して設置されることを特徴とする請求項１に記載のモバイル電子機器用の防水ケース。
【請求項５】
前記入力装置は、前記ハウジングに接続された操作部と、前記コントローラに電気的に接続され且つ前記操作部の単位時間における動きの方向及び距離を読み取ることで前記操作画面での操作を制御できる第１光感知ユニットと、をさらに含むことを特徴とする請求項４に記載のモバイル電子機器用の防水ケース。
【請求項６】
前記入力装置は、前記ハウジングに接続され且つ光透過材質で製造されたタッチ用の操作パネルと、前記操作パネルの下方に位置し且つ前記操作パネルでの単位時間におけるタッチ経路の方向及び距離を感知することで前記操作画面での操作を制御できる第２光感知ユニットと、をさらに含むことを特徴とする請求項４に記載のモバイル電子機器用の防水ケース。
【請求項７】
前記操作部は、トラックボール構造であり、前記トラックボール構造は、前記ハウジングに接続され且つ位置決め溝を有し光を透過可能なボールブラケット、及び前記位置決め溝において回動可能に位置するトラックボールを含み、前記位置決め溝が外向きに開口することを特徴とする請求項５に記載のモバイル電子機器用の防水ケース。
【請求項８】
前記モバイル電子機器を充電するための充電装置をさらに備えることを特徴とする請求項１〜７のいずれか１項に記載のモバイル電子機器用の防水ケース。
【請求項９】
前記充電装置は、前記コントローラに電気的に接続されることを特徴とする請求項８に記載のモバイル電子機器用の防水ケース。
【請求項１０】
前記充電装置は、電磁誘導によって前記モバイル電子機器を充電できるワイヤレス充電回路を含むことを特徴とする請求項８に記載のモバイル電子機器用の防水ケース。